(57)【要約】【課題】植物の生育を促進させる。【解決手段】点滴チューブ（４）から灌水される養液を培地（６）に供給する灌水シート（７）と、培地（６）に植えられた植物（Ｐ）における灌水シート（７）の外部に露出した部分の周囲に配置される透水性部材（８）とを備え、透水性部材（８）は、灌水シート（７）と当接するように配置され、灌水シート（７）を介して供給される養液を植物Ｐに供給する。【選択図】図２
2017079664.tif 000002
【特許請求の範囲】
【請求項１】
培地を収容する容器と、
養液を灌水する養液灌水部と、
前記培地上に敷かれ、前記養液灌水部から灌水される養液を前記培地に供給する灌水シートと、
前記培地に植えられた植物における前記灌水シートの外部に露出した部分の周囲に配置される透水性部材とを備え、
前記透水性部材は、前記灌水シートと当接するように配置され、前記灌水シートを介して供給される前記養液を前記植物に供給することを特徴とする植物栽培装置。
【請求項２】
前記透水性部材は、前記植物の株元部の周囲に配置されていることを特徴とする請求項１に記載の植物栽培装置。
【請求項３】
前記透水性部材は前記灌水シートと一体構造であることを特徴とする請求項１または２に記載の植物栽培装置。
【請求項４】
前記透水性部材は前記灌水シートと別体に形成されており、
前記透水性部材の一部が前記灌水シートにおける前記培地との対向面に当接していることを特徴とする請求項１または２に記載の植物栽培装置。
【請求項５】
前記透水性部材は、前記植物に巻き付けられていることを特徴とする請求項１から４のいずれか１項に記載の植物栽培装置。
【発明の詳細な説明】
【技術分野】
【０００１】
本発明は、植物栽培装置に関するものである。
【背景技術】
【０００２】
従来、栽培対象の植物を植えた培地に点滴チューブ等の灌水手段から灌水することにより、植物を栽培することが行われている。
【０００３】
例えば、特許文献１には、断面略逆Ｖ字状に形成された固形培地と、固形培地に上方から灌水する灌水手段と、固形培地の頂部およびその近傍を被覆する灌水シート（浸水性シート部材）とを備え、固形培地の傾斜面に形成された植穴に植物を移植する果菜類栽培装置が開示されている。
【０００４】
また、特許文献２には、養液栽培に用いる固形培地の上に配設される灌水シートであって、表面側に保水機能を有し、裏面側に拡散灌水機能を有する灌水シートが開示されている。
【先行技術文献】
【特許文献】
【０００５】
【特許文献１】特開２０１３−３４４３０号公報（２０１３年２月２１日公開）
【特許文献２】特開２０１２−６５５５９号公報（２０１２年４月５日公開）
【発明の概要】
【発明が解決しようとする課題】
【０００６】
ところで、果実等の植物栽培においては、連続して果実を栽培・収穫すると、成り疲れと呼ばれる品質の低下が生じることが知られている。このため、従来の植物栽培では、成り疲れを抑制するために、一定期間、花芽を摘んで株（特に根）の充実を図る作業が行われている。
【０００７】
これに対して、植物における株元部（根茎部）から連続して不定根が発生すると、連続して収穫可能な期間が延び、花芽を摘んで株の充実を図る作業の頻度を低減することができることが知られている。
【０００８】
ところが、上記特許文献１，２の技術では、灌水シートによって灌水手段から灌水された水を培地に均一に拡散灌水させることができるものの、成長した植物における灌水シートよりも上に露出した株元部に対して灌水することができないので、不定根を連続して発生させることができないという問題がある。
【０００９】
本発明は、上記の問題点に鑑みて成されたものであり、その目的は、植物の生育を促進させることのできる植物栽培装置を提供することにある。
【課題を解決するための手段】
【００１０】
本発明の一態様にかかる植物栽培装置は、培地を収容する容器と、前記培地上に敷かれた灌水シートと、前記灌水シートに養液を供給する養液供給部と、前記培地に植えられた植物における前記灌水シートの外部に露出した部分の周囲に配置される透水性部材とを備え、前記透水性部材は、前記灌水シートと当接するように配置され、前記養液供給部から前記灌水シートを介して供給される前記養液を前記植物に供給することを特徴としている。
【発明の効果】
【００１１】
上記の構成によれば、灌水シートに供給された養液を、灌水シートおよび透水性部材を介して、植物における灌水シートの外部に露出した部分に供給することができる。これにより、植物の生育を促進させることができる。
【図面の簡単な説明】
【００１２】
【図１】本発明の実施形態１にかかる植物栽培システムの概略構成を示す説明図である。
【図２】図１に示した植物栽培システムに備えられる植物栽培装置の斜視図である。
【図３】図２に示した植物栽培装置の断面図である。
【図４】図２に示した植物栽培装置に備えられる灌水シートおよび透水性部材の構成および配置方法を示す説明図である。
【図５】（ａ）は透水性部材を用いずに植物を栽培した場合の植物の株元部の写真を示す図であり、（ｂ）は透水性部材を用いて植物を栽培した場合の植物の株元部の写真を示す図である。
【図６】（ａ）は本発明の実施形態２にかかる植物栽培装置に備えられる灌水シートおよび透水性部材の構成を示す説明図であり、（ｂ）は上記灌水シートおよび上記透水性部材の配置方法を示す説明図である。
【図７】（ａ）は本発明の実施形態３にかかる植物栽培装置に備えられる灌水シートおよび透水性部材の構成を示す説明図であり、（ｂ）は上記灌水シートおよび上記透水性部材の配置方法を示す説明図である。
【図８】（ａ）は本発明の実施形態４にかかる植物栽培装置に備えられる灌水シートおよび透水性部材の構成を示す説明図であり、（ｂ）は上記灌水シートおよび上記透水性部材の配置方法を示す説明図である。
【発明を実施するための形態】
【００１３】
〔実施形態１〕
本発明の一実施形態について説明する。
【００１４】
（１−１．植物栽培システム１００の構成）
図１は、本発明の一態様にかかる植物栽培システム１００の概略構成を示す説明図である。なお、植物栽培システム１００は、植物栽培工場に用いられるものであってもよく、露地栽培に用いられるものであってもよい。
【００１５】
図１に示したように、植物栽培システム１００は、タンク１、ポンプ２、養液供給管３、および複数の植物栽培装置１０を備えている。また、各植物栽培装置１０は、点滴チューブ（養液灌水部）４およびプランタ（容器）５を備えている。
【００１６】
タンク１は、プランタ５で栽培される植物に供給する養液を貯蔵する。本実施形態では、養液として、園試処方の培養液（成分濃度：Ｎ＝１６ｍｅ／Ｌ、Ｐ＝４ｍｅ／Ｌ、Ｋ＝８ｍｅ／Ｌ、Ｃａ＝８ｍｅ／Ｌ、Ｍｇ＝４ｍｅ／Ｌ）を希釈した養液を用いる。ただし、養液の構成はこれに限るものではなく、例えば、他の成分からなる養液を用いてもよく、水（例えば真水、農業用水、水道水など）であってもよい。
【００１７】
ポンプ２は、タンク１に貯蔵された養液を加圧して養液供給管３に供給する。
【００１８】
養液供給管３には複数の点滴チューブ４が接続されており、ポンプ２から養液供給管３に供給された養液はそれら各点滴チューブ４に供給される。
【００１９】
点滴チューブ４は、プランタ５毎に設けられており、養液供給管３から供給される養液を、当該点滴チューブ４に設けられた複数の吐出孔から吐出することにより、養液を灌水シート７上に灌水する。なお、本実施形態では養液灌水部として、複数の吐出孔を備えた点滴チューブ４を用いているが、これに限らず、例えば養液を霧状あるいはシャワー状に吐出するノズルを備えたものを用いてもよい。
【００２０】
なお、図１に示した例では、１本の養液供給管３と、６個のプランタ５と、各プランタ５に対応する６本の点滴チューブ４とが備えられているが、養液供給管３、プランタ５、および点滴チューブ４の数はこれに限るものではなく、適宜変更してもよい。また、図１に示した例では、各プランタ５が水平方向に１段に並べて配置されているが、これに限らず、垂直方向に複数段配置されていてもよい。
【００２１】
図２は植物栽培装置１０の斜視図であり、図３の（ａ）は植物栽培装置１０における長手方向に垂直な断面の断面図である。
【００２２】
これら各図に示すように、プランタ５は一方向に延伸する形状を有している。また、プランタ５には培地６が収容されており、培地６の上面にはプランタ５の長手方向に沿って灌水シート７が配置され、灌水シート７上に点滴チューブ４がプランタ５の長手方向に沿って配置されている。
【００２３】
また、培地６上における灌水シート７を挟んでプランタ５の短手方向の両側には、プランタ５の長手方向に沿って所定の間隔を隔てて複数の植物Ｐ（例えばイチゴなど）が植えられている。また、各植物Ｐにおける培地６および灌水シート７の外部に露出した株元部（クラウン部）の周囲には透水性部材８が配置されている。
【００２４】
プランタ５は、上方が開口した容器であり、内部に培地６を収容するようになっている。なお、プランタ５の形状および材質は特に限定されるものではなく、培地６を収容して植物を栽培できるものであればよい。
【００２５】
培地６の材質は特に限定されるものではなく、従来から公知の培地を用いることができる。培地６としては、例えば、ロックウール、バーミキュライト、パーライト、ゼオライト、砂、鹿沼土、グラスビーズ、セラミックなどの岩石鉱物系の資材、ウレタン、ナイロン、メラミン樹脂、ポリアクリルアミドゲルなどの合成樹脂系の資材、木質チップ、わら、水苔、炭、木綿、紙、寒天などの生物由来の資材などからなるものを用いることができる。
【００２６】
点滴チューブ４は、所定間隔毎に灌水穴が設けられており、養液供給管３から点滴チューブ４に供給された養液は各灌水穴から灌水シート７へ灌水される。
【００２７】
灌水シート７としては、浸水性および保水性を有し、腐食しにくいシート状の部材であれば特に限定されるものではないが、例えば、パルプ、レーヨン、ビニロン、ポリプロピレン、ポリエステル、綿のうちのいずれか１つ以上からなる不織布を用いることができる。また、灌水シート７の厚さは、点滴チューブ４から灌水された養液を培地６上に略均一に拡散させることができる程度の厚さを有していれば特に限定されるものではなく、例えば０．１ｍｍ〜３ｍｍ程度の厚さを有するものを用いることができる。本実施形態では、厚さ２．２ｍｍのパルプからなる不織布を用いた。
【００２８】
透水性部材８としては、浸水性および保水性を有し、腐食しにくい部材であれば特に限定されるものではないが、例えば、灌水シート７と同様、パルプ、レーヨン、ビニロン、ポリプロピレン、ポリエステル、綿のうちのいずれか１つ以上からなる不織布を用いることができる。
【００２９】
なお、図３の（ａ）に示した構成に加えて、図３の（ｂ）に示したように、培地６、灌水シート７、透水性部材８、点滴チューブ４、および植物Ｐの一部を覆うように、培地６、灌水シート７、および透水性部材８からの水分の蒸発を抑制するためのマルチシート９を配置してもよい。なお、マルチシート９の材質は、水分の透過を抑制できるものであればよく、特に限定されない。また、マルチシート９は、光を遮断する材質であることが好ましい。マルチシート９によって光を遮断することにより、培地表面にコケなどが生えることを抑制できる。
【００３０】
また、本実施形態では、培地６の上面が平坦面である構成について説明したが、これに限るものではない。例えば、図３の（ｃ）に示すように、培地６をプランタ５の延伸方向に垂直な断面の形状が台形状になるように形成し、灌水シート７を培地６が成す台形形状の上面と両側面（両傾斜面）の一部とに配置し、両側面に植物Ｐおよび透水性部材８を配置してもよい。
【００３１】
（１−２．透水性部材８の構成）
図４の（ａ）は灌水シート７および透水性部材８を形成するために用いられるシート１３の構成を示す説明図であり、（ｂ）はシート１３を用いて形成された灌水シート７および透水性部材８の配置方法を示す説明図である。
【００３２】
図４の（ａ）に示したように、本実施形態では、後に灌水シート７および透水性部材８となるシート１３を用意する。シート１３は、一方向に延伸する形状を有しており、長手方向に垂直な方向の幅は灌水シート７における長手方向に垂直な方向の幅よりも２×Ｈ（ｍｍ）だけ広くなっている。
【００３３】
本実施形態では、このシート１３における長手方向に垂直な方向の両端部に、所定間隔毎に、当該端部からシート１３の中央側に向かう切込部１１を設ける。また、この切込部１１におけるシート１３の中央側の端部からシート１３の長手方向に沿って両側にそれぞれ切込部１２を設ける。
【００３４】
そして、シート１３における長手方向に垂直な方向の両端部を、切込部１２同志の間の部分でシート１３の中央部に対して垂直な方向に折り曲げるとともに、植物Ｐの株元部に巻き付ける。
【００３５】
これにより、図４の（ｂ）に示したように、一体構造からなる灌水シート７と透水性部材８とが形成される。
【００３６】
（１−３．植物栽培システム１００の効果）
図５の（ａ）は透水性部材８を用いずに植物Ｐを栽培した場合の植物Ｐの株元部の写真を示す図であり、図５の（ｂ）は透水性部材８を用いて植物Ｐを栽培した場合の植物Ｐの株元部の写真を示す図である。なお、透水性部材８の有無以外は同様の条件で植物Ｐを栽培した。
【００３７】
透水性部材８を用いない場合、培地６よりも上に配置される株元部には養液が供給されないため、図５の（ａ）に示すように、株元部から継続した不定根の発生は見られなかった。
【００３８】
一方、透水性部材８を用いた場合、点滴チューブ４から灌水シート７および透水性部材８を介して植物Ｐの株元部に養液が供給されるので、透水性部材８を株元部に巻きつけてから１か月の栽培により、図５の（ｂ）に示すように、株元部から不定根Ａが発生した。
【００３９】
以上のように、本実施形態にかかる植物栽培装置１０は、培地６上に配置された灌水シート７と、灌水シート７に養液を灌水する点滴チューブ４と、灌水シート７と当接し、かつ植物Ｐの株元部を覆うように配置された透水性部材８とを備えている。
【００４０】
これにより、点滴チューブ４から灌水された養液を灌水シート７および透水性部材８を介して植物Ｐの株元部に供給することができるので、株元部からの不定根の発生を促進させることができる。したがって、植物Ｐの成り疲れを抑制し、連続して収穫可能な期間を延ばすことができる。
【００４１】
〔実施形態２〕
本発明の他の実施形態について説明する。なお、説明の便宜上、上述した実施形態と同じ部材には同じ符号を付し、その説明を省略する。
【００４２】
実施形態１では、灌水シート７と透水性部材８とが一体構造である構成について説明した。これに対して、本実施形態では、透水性部材８に代えて、灌水シート７とは別体に設けられた透水性部材２１を用いる。
【００４３】
図６の（ａ）は灌水シート７および透水性部材２１の構成を示す説明図であり、（ｂ）は灌水シート７および透水性部材２１の配置方法を示す説明図である。
【００４４】
図６の（ａ）に示したように、透水性部材２１は、一方向に延伸する細長い矩形形状を有している。なお、透水性部材２１の材質としては、例えば、灌水シート７と同様の材質からなるシートを用いることができる。
【００４５】
本実施形態では、図６の（ｂ）に示すように、上記の透水性部材２１を植物Ｐの株元部に巻き付けるとともに、透水性部材２１の端部を灌水シート７と培地６との間に挟み込ませる。すなわち、透水性部材２１の一部を灌水シート７における培地６との対向面に当接するように配置する。
【００４６】
これにより、点滴チューブ４から灌水された養液を灌水シート７および透水性部材２１を介して植物Ｐの株元部に供給することができるので、株元部からの不定根の発生を促進させることができる。したがって、植物Ｐの成り疲れを抑制し、連続して収穫可能な期間を延ばすことができる。
【００４７】
〔実施形態３〕
本発明の他の実施形態について説明する。なお、説明の便宜上、上述した実施形態と同じ部材には同じ符号を付し、その説明を省略する。
【００４８】
本実施形態では、実施形態１における透水性部材８に代えて、灌水シート７とは別体に設けられた透水性部材２２を用いる。
【００４９】
図７の（ａ）は灌水シート７および透水性部材２２の構成を示す説明図であり、（ｂ）は灌水シート７および透水性部材２２の配置方法を示す説明図である。
【００５０】
図７の（ａ）に示したように、透水性部材２２は、一方向に延伸する第１部分２２ａと第１部分２２ａにおける延伸方向の中央部から第１部分２２ａの延伸方向に垂直な方向に延びる第２部分２２ｂとを有している。なお、透水性部材２２の材質としては、例えば、灌水シート７と同様の材質からなるシートを用いることができる。
【００５１】
本実施形態では、図７の（ｂ）に示したように、上記の透水性部材２２の第１部分２２ａを植物Ｐの株元部に巻き付けるとともに、透水性部材２２の第２部分２２ｂを灌水シート７と培地６との間に挟み込ませる。すなわち、透水性部材２２の一部を灌水シート７における培地６との対向面に当接するように配置する。
【００５２】
これにより、点滴チューブ４から灌水された養液を灌水シート７および透水性部材２２を介して植物Ｐの株元部に供給することができるので、株元部からの不定根の発生を促進させることができる。したがって、植物Ｐの成り疲れを抑制し、連続して収穫可能な期間を延ばすことができる。
【００５３】
〔実施形態４〕
本発明の他の実施形態について説明する。なお、説明の便宜上、上述した実施形態と同じ部材には同じ符号を付し、その説明を省略する。
【００５４】
本実施形態では、実施形態１における透水性部材８に代えて、灌水シート７とは別体に設けられた透水性部材２３を用いる。
【００５５】
図８の（ａ）は灌水シート７および透水性部材２３の構成を示す説明図であり、（ｂ）は灌水シート７および透水性部材２３の配置方法を示す説明図である。
【００５６】
図８の（ａ）に示したように、透水性部材２３は、透水性を有する材質からなる筒状部２３ａと筒状部２３ａの一部から筒状部２３ａの径方向外側へ延伸する延伸部２３ｂとを備えている。なお、透水性部材２３の材質としては、例えば、灌水シート７と同様の材質からなるシートを用いることができる。
【００５７】
本実施形態では、図８の（ｂ）に示したように、植物Ｐの株元部が透水性部材２３の筒状部２３ａを貫通するように植物Ｐを植えるとともに、透水性部材２３の延伸部２３ｂを灌水シート７と培地６との間に挟み込ませる。すなわち、透水性部材２３の一部を灌水シート７における培地６との対向面に当接するように配置する。
【００５８】
これにより、点滴チューブ４から灌水された養液を灌水シート７および透水性部材２３を介して植物Ｐの株元部に供給することができるので、株元部からの不定根の発生を促進させることができる。したがって、植物Ｐの成り疲れを抑制し、連続して収穫可能な期間を延ばすことができる。
【００５９】
なお、筒状部２３ａに径方向に沿って外周面から中心まで切り込みを入れておき、この切り込みを用いて筒状部２３ａを植物Ｐの株元部に取り付けるようにしてもよい。
【００６０】
また、筒状部２３ａを周方向に沿って複数の分割部分に分割しておき、各分割部分を植物Ｐの株元部の周囲に配置するようにしてもよい。
【００６１】
また、透水性部材２３は、筒状形状に限るものではなく、例えば多角柱形状、球状形状、楕円球形状、錐体形状などであってもよい。また、透水性部材２３は、灌水シート７と同様のシート状部材を積層したものであってもよい。
【００６２】
なお、上記各実施形態において、透水性部材８，２１，２２，２３は、植物Ｐあるいは灌水シート７に対して着脱可能であってもよい。また、植物Ｐの生育状態、あるいは透水性部材８，２１，２２，２３の汚れや劣化の有無等に応じて、透水性部材８，２１，２２，２３を適宜追加あるいは交換するようにしてもよい。
【００６３】
〔まとめ〕
本発明の態様１にかかる植物栽培装置１０は、培地６を収容する容器（プランタ５）と、養液を灌水する養液灌水部（点滴チューブ４）と、前記培地６上に敷かれ、前記養液灌水部（点滴チューブ４）から灌水される養液を前記培地６に供給する灌水シート７と、前記培地６に植えられた植物Ｐにおける前記灌水シート７の外部に露出した部分の周囲に配置される透水性部材８，２１，２２，２３とを備え、前記透水性部材８，２１，２２，２３は、前記灌水シート７と当接するように配置され、前記灌水シート７を介して供給される前記養液を前記植物Ｐに供給することを特徴としている。
【００６４】
上記の構成によれば、灌水シート７に供給された養液を、灌水シート７および透水性部材８，２１，２２，２３を介して、植物Ｐにおける灌水シート７の外部に露出した部分に供給することができる。これにより、植物Ｐの生育を促進させることができる。
【００６５】
本発明の態様２にかかる植物栽培装置１０は、上記態様１において、前記透水性部材８，２１，２２，２３は、前記植物Ｐの株元部の周囲に配置されている構成である。
【００６６】
上記の構成によれば、灌水シート７に供給された養液を、灌水シート７および透水性部材８，２１，２２，２３を介して、植物Ｐの株元部に供給することができるので、株元部からの不定根の発生を促進させることができる。
【００６７】
本発明の態様３にかかる植物栽培装置１０は、上記態様１または２において、前記透水性部材８は前記灌水シート７と一体構造である構成である。
【００６８】
上記の構成によれば、灌水シート７に供給された養液を、灌水シート７から透水性部材８により確実に伝搬させることができる。
【００６９】
本発明の態様４にかかる植物栽培装置１０は、上記態様１または２において、前記透水性部材２１，２２，２３は前記灌水シート７と別体に形成されており、前記透水性部材２１，２２，２３の一部が前記灌水シート７における前記培地６との対向面に当接している構成である。
【００７０】
上記の構成によれば、灌水シート７に供給された養液を、灌水シート７から透水性部材２１，２２，２３に適切に伝搬させることができる。
【００７１】
本発明の態様５にかかる植物栽培装置１０は、上記態様１から４のいずれかにおいて、前記透水性部材８，２１，２２は、前記植物Ｐに巻き付けられている構成である。
【００７２】
上記の構成によれば、灌水シート７から透水性部材８，２１，２２に伝搬した養液を植物Ｐに効率よく供給することができる。
【００７３】
本発明の態様６にかかる植物栽培装置１０は、上記態様１から５のいずれかにおいて、前記養液灌水部は、前記養液を吐出する吐出孔を備えた点滴チューブ４である構成である。
【００７４】
上記の構成によれば、点滴チューブ４の吐出孔と植物Ｐとの位置関係を必ずしも正確に合わせなくても、灌水シート７に供給された養液を、灌水シート７および透水性部材８，２１，２２，２３を介して、植物Ｐに適切に供給することができる。
【００７５】
本発明の態様７にかかる植物栽培装置１０は、上記態様１から６のいずれかにおいて、前記容器（プランタ５）、前記灌水シート７、および前記養液灌水部（点滴チューブ４）は、所定方向に延伸する形状を有しており、前記植物Ｐは前記所定方向に沿って複数箇所に植えられており、前記透水性部材８，２１，２２，２３は前記各植物Ｐにおける前記灌水シート７の外部に露出した部分の周囲に配置されている構成である。
【００７６】
上記の構成によれば、複数の植物Ｐのそれぞれに対して適切に養液を供給することができる。
【００７７】
本発明の態様８にかかる植物栽培システムは、上記態様１から７のいずれかに記載の植物栽培装置を複数備えていることを特徴としている。
【００７８】
上記の構成によれば、大量の植物Ｐを効率よく栽培することができる。
【００７９】
本発明の態様９にかかる植物栽培方法は、灌水される養液を培地６に供給する灌水シート７を前記培地６上に敷く工程と、前記培地６に植えられた植物Ｐにおける前記灌水シート７の外部に露出した部分の周囲に、前記灌水シート７と当接するように透水性部材８，２１，２２，２３を配置する工程と、前記灌水シート７に養液を供給することにより、前記灌水シート７および前記透水性部材８，２１，２２，２３を介して前記植物Ｐに前記養液を供給する工程とを含むことを特徴としている。
【００８０】
上記の方法によれば、灌水シート７に供給された養液を、灌水シート７および透水性部材８，２１，２２，２３を介して、植物Ｐにおける灌水シート７の外部に露出した部分に供給することができる。これにより、植物Ｐの生育を促進させることができる。
【００８１】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することもできる。
【符号の説明】
【００８２】
１  タンク
２  ポンプ
３  養液供給管
４  点滴チューブ（養液灌水部）
５  プランタ（容器）
６  培地
７  灌水シート
８，２１，２２，２３  透水性部材
９  マルチシート
１０  植物栽培装置
１１，１２  切込部
１３  シート
２２ａ  第１部分
２２ｂ  第２部分
２３ａ  筒状部
２３ｂ  延伸部
１００  植物栽培システム
【図１】
2017079664.tif 000003
【図２】
2017079664.tif 000004
【図３】
2017079664.tif 000005
【図４】
2017079664.tif 000006
【図５】
2017079664.tif 000007
【図６】
2017079664.tif 000008
【図７】
2017079664.tif 000009
【図８】
2017079664.tif 000010